(57)【要約】【課題】変圧器に対応する標準の径とは異なる径の導線を容易に接続する接続方法を提供する。【解決手段】導線の接続方法は、変圧器に配置され、第１の径の開口部２ａ，２ｂを有する出力端子２と、導線３５に接続され、第１の径よりも大きな第２の径の開口部１３ａ，１３ｂを有する接続端子１１とをボルト４１を用いて接続する接続方法であって、接続端子１１の一方の表面と出力端子２の表面とを当接させる工程と、第１の径とほぼ同じ大きさの径の開口部２１ａ，２１ｂを有し、板状に形成された補助座金２１を接続端子１１の他方の表面に当接させる工程と、出力端子２の開口部２ａ、接続端子１１の開口部１３ａおよび補助座金２１の開口部２１ａにボルト４１を挿通させて、出力端子２、接続端子１１および補助座金２１を一体的に固定する工程とを含む。【選択図】図１
2007250190.tif 000002
【特許請求の範囲】
【請求項１】
変圧器に配置され、第１の径の開口部を有する出力端子と、導線に接続され、前記第１の径よりも大きな第２の径の開口部を有する接続端子とをビスを用いて接続する接続方法であって、
前記接続端子の一方の表面と前記出力端子の表面とを当接させる工程と、
前記第１の径とほぼ同じ大きさの径の開口部を有し、板状に形成された補助座金を前記接続端子の他方の表面に当接させる工程と、
前記出力端子の開口部、前記接続端子の開口部および前記補助座金の開口部に前記ビスを挿通させた状態で、前記出力端子、前記接続端子および前記補助座金を一体的に固定する工程と
を含む、導線の接続方法。
【請求項２】
第３の径の挿入穴を有する接続端子に、前記第３の径よりも小さな第４の径を有する前記導線を接続する工程と、
前記接続端子の第５の径を有する開口部および前記第５の径とほぼ同じ大きさの径の開口部を有する前記変圧器の出力端子をビスによって互いに固定する工程と
を含む導線の接続方法であって、
外径が前記第３の径よりも小さく、内径が前記第４の径よりも大きな筒状のスリーブを前記挿入穴に挿入する工程と、
前記導線を前記スリーブの前記筒状の内側に挿入する工程と
を含む、導線の接続方法。
【請求項３】
円筒状に形成された前記スリーブを用いる、請求項２に記載の導線の接続方法。
【請求項４】
主材が銅で形成された前記スリーブを用いる、請求項２に記載の導線の接続方法。
【発明の詳細な説明】
【技術分野】
【０００１】
本発明は、変圧器に導線を接続するときの接続方法に関する。
【背景技術】
【０００２】
電気は、送電線や配電線などの導線によって工場や家庭などに送られる。導線の途中には、変圧器が配置され、高い電圧で発電された電気は、変圧器で順次電圧が落とされて工場や家庭などに送られる。
【０００３】
図１２は、電柱に配置される変圧器の概略斜視図である。変圧器５６は、容量が１０ｋＶＡである。変圧器５７は、容量が２０ｋＶＡである。変圧器５６は、内部のコイルと電気的に導通するように形成されたブッシング５６ａ〜５６ｃを備える。ブッシング５６ａ，５６ｃには、電圧線（いわゆる出力線）が接続される。ブッシング５６ｂには、中性線（いわゆるアース線）が接続される。変圧器５７は、内部のコイルと電気的に導通するように形成されたブッシング５７ａ〜５７ｃを備える。ブッシング５７ａ，５７ｃには、電圧線が接続される。ブッシング５７ｂには、中性線が接続される。変圧器５６，５７には、図示しない入力線から送電される。
【０００４】
図１２に示す例においては、変圧器５６と変圧器５７とが導線５９，６０によって接続されている。変圧器５７のブッシング５７ｃと、変圧器５６のブッシング５６ａとが電気的に接続されている。たとえば、変圧器５６には、エレベータなどの３相の動力負荷を供給する際に必要になり、動力用の負荷が接続される。一方で、変圧器５７には、家庭用電源などの２相の電灯用の負荷が接続される。導線は、接続端子に接続され、この接続端子とブッシングの出力端子とがねじにより固定されている。
【０００５】
ここで、それぞれの変圧器においては、変圧器の容量に応じて、用いられる標準的な導線の太さが定められている。たとえば、変圧器５６のブッシング５６ａに接続される電圧線としての導線６０は、断面積が２２ｍｍ2のものが用いられる。一方で、変圧器５７のブッシング５７ｃに接続される電圧線としての導線５９は、断面積が６０ｍｍ2のものが用いられる。ブッシング５７ｃに接続される導線５９は、ブッシング５６ａに接続される導線６０よりも太い。変圧器の容量に応じて、接続される導線の太さが異なるため、これらの導線同士を接続するときには、Ｃ型コネクタ５８が用いられる。
【０００６】
図１３に、Ｃ型コネクタの部分の概略斜視図を示す。Ｃ型コネクタ５８は、断面形状がＣ字形に形成されている。このＣ字形の内側に、導線５９および導線６０が配置される。Ｃ型コネクタ５８は、矢印６９に示すように、一の方向の両側から押し潰されることにより、導線５９，６０を互いに接続固定する。
【０００７】
特開２０００−２２３１６８号公報においては、巻線型高圧雑音防止電線を変圧器に接続するための接続部材が開示されている。この接続部材は、雑音防止電線が圧着接続される圧着接続部と、変圧器の棒状の接続部に半田付けされるはんだ接続部とを備えている。圧着接続部は、第１および第２のバレル部、およびその底部壁面より抜起し形成された抜起し片が設けられている。半田接続部は、カップ形の形状を有しており、その底部中央の変圧器の接続部よりやや大径の貫通孔が設けられている。この接続部材によれば、巻線型高圧雑音防止電線を変圧器に容易に接続することができると開示されている。
【特許文献１】特開２０００−２２３１６８号公報
【発明の開示】
【発明が解決しようとする課題】
【０００８】
前述のように、変圧器の容量が定められると、容量に応じた導線の太さが定まる。導線の太さに応じるように、変圧器のブッシングの出力端子の大きさおよび導線の接続端子の大きさが定まる。出力端子および接続端子は、それぞれが開口部を有し、開口部にねじを挿通することにより、互いに固定される。それぞれの開口部の径および間隔は、互いにほぼ同じになるように形成されている。出力端子と接続端子とが互いに固定されることによって電気的に接続される。
【０００９】
変圧器に導線を接続するときに、変圧器の容量に対応した標準的な太さの導線以外の導線を接続できると利便な場合がある。たとえば、図１２においては、導線５９に、接続端子を接続して、変圧器５６のブッシング５６ａに導線５９を直接的に接続することができれば、Ｃ型コネクタ５８および導線６０が不要になる。
【００１０】
しかしながら、導線５９に適合する接続端子は、大型のものであり、Ｍ１２のねじを挿通するための大きな開口部が形成されている。一方で、変圧器５６のブッシング５６ａの出力端子は、小型のものであり、Ｍ８のねじを挿通するための小さな開口部が形成されている。このように、接続端子の開口部と出力端子の開口部との大きさが異なる。したがって、導線５９用の接続端子をブッシング５６ａに接続すると、導線５９の接続端子がぐらついたり、ボルトが緩んできたりしてしまうという問題があった。
【００１１】
このように、変圧器の接続においては、しばしば標準の径とは異なる径の導線を変圧器に接続すると利便な場合があり、変圧器に標準の径とは異なる径の導線を容易に接続する方法が求められていた。
【００１２】
本発明は、変圧器に対応する標準の径とは異なる径の導線を容易に接続する接続方法を提供することを目的とする。
【課題を解決するための手段】
【００１３】
本発明に基づく一の導線の接続方法は、変圧器に配置され、第１の径の開口部を有する出力端子と、導線に接続され、上記第１の径よりも大きな第２の径の開口部を有する接続端子とをビスを用いて接続する接続方法であって、上記接続端子の一方の表面と上記出力端子の表面とを当接させる工程と、上記第１の径とほぼ同じ大きさの径の開口部を有し、板状に形成された補助座金を上記接続端子の他方の表面に当接させる工程と、上記出力端子の開口部、上記接続端子の開口部および上記補助座金の開口部に上記ビスを挿通させた状態で、上記出力端子、上記接続端子および上記補助座金を一体的に固定する工程とを含む。
【００１４】
本発明に基づく他の導線の接続方法は、第３の径の挿入穴を有する接続端子に、上記第３の径よりも小さな第４の径を有する上記導線を接続する工程と、上記接続端子の第５の径を有する開口部および上記第５の径とほぼ同じ大きさの径の開口部を有する上記変圧器の出力端子をビスによって互いに固定する工程とを含む導線の接続方法であって、外径が上記第３の径よりも小さく、内径が上記第４の径よりも大きな筒状のスリーブを上記挿入穴に挿入する工程と、上記導線を上記スリーブの上記筒状の内側に挿入する工程とを含む。
【００１５】
上記発明において好ましくは、円筒状に形成された上記スリーブを用いる。
上記発明において好ましくは、主材が銅で形成された上記スリーブを用いる。
【発明の効果】
【００１６】
本発明によれば、変圧器に対応する標準の径とは異なる径の導線を容易に接続する接続方法を提供することができる。
【発明を実施するための最良の形態】
【００１７】
（実施の形態１）
図１から図７を参照して、本発明に基づく実施の形態１における導線の接続方法について説明する。本実施の形態においては、小型の変圧器のブッシングに、太い導線を接続するときの接続方法について説明する。
【００１８】
表１に、変圧器の容量と接続される導線の標準的な太さを示す。
【００１９】
【表１】
2007250190.tif 000003
【００２０】
容量が１０ｋＶＡの変圧器は、電圧線として、標準的には断面積が２２ｍｍ2の導線が接続される。また、中性線として、標準的には断面積が２２ｍｍ2の導線が接続される。容量が２０ｋＶＡまたは３０ｋＶＡの変圧器には、電圧線として、標準的には断面積が６０ｍｍ2の導線が接続され、中性線として、標準的には断面積が２２ｍｍ2の導線が接続される。容量が５０ｋＶＡ以上の変圧器においては、電圧線および中性線として、標準的には断面積が６０ｍｍ2以上の導線が接続される。このように、変圧器の容量に応じて、接続される標準的な導線が定められている。
【００２１】
図４は、本実施の形態における導線の接続端子の説明図である。図４（ａ）は、本実施の形態における導線の接続端子の概略平面図である。図４（ｂ）は、それぞれの導線の太さに応じて用いられる接続端子の寸法を説明する表である。
【００２２】
図４（ａ）を参照して、接続端子１１は、円筒部１２および板部１３を含む。円筒部１２は、円筒状に形成され、導線が挿入される。円筒部１２が押し潰されることにより、円筒部に導線が固定される。板部１３は平板状に形成されている。板部１３は、開口部１３ａ，１３ｂを有する。本実施の形態においては、２個の開口部が形成されている。開口部１３ａ，１３ｂは、ボルトが挿通するように形成されている。
【００２３】
図４（ａ）および図４（ｂ）を参照して、導線の断面積に関わらず、開口部１３ａ，１３ｂの中心同士の距離Ｌ１は、約４０ｍｍであり、一定である。断面積が２２ｍｍ2の導線においては、開口部１３ａ，１３ｂの径Ｄ１，Ｄ２は、それぞれが約１０ｍｍであり、Ｍ８のサイズのボルトが挿通するように形成されている。断面積が６０ｍｍ2以上の導線の接続端子においては、開口部１３ａ，１３ｂの径が約１３ｍｍ以上であり、Ｍ１２のボルトが挿通するように形成されている。このように、断面積が２２ｍｍ2の導線の接続端子は小型であり、断面積が６０ｍｍ2以上の導線の接続端子は大型である。
【００２４】
図５は、本実施の形態における変圧器のブッシングの出力端子の説明図である。図５（ａ）は、本実施の形態における変圧器のブッシングの出力端子の概略平面図である。図５（ｂ）は、接続されるそれぞれの導線の太さに応じた出力端子の寸法を説明する表である。
【００２５】
図５（ａ）を参照して、ブッシング１は、出力端子２および碍子部３を含む。碍子部３は、絶縁性部材で形成されている。出力端子２は、平板状に形成されている。出力端子２は、開口部２ａ，２ｂを有する。本実施の形態においては、２個の開口部が形成されている。開口部２ａ，２ｂは、ボルトが挿通するように形成されている。
【００２６】
図５（ａ）および図５（ｂ）を参照して、接続される導線の断面積にかかわらず、開口部２ａ，２ｂの中心同士の距離Ｌ２は、約４０ｍｍであり、一定である。断面積が２２ｍｍ2の導線が接続される出力端子の開口部２ａ，２ｂの径Ｄ３，Ｄ４は、それぞれが約１０ｍｍであり、Ｍ８のサイズのボルトが挿通するように形成されている。断面積が６０ｍｍ2以上の導線が接続される出力端子の開口部２ａ，２ｂの径は、約１３ｍｍ以上であり、Ｍ１２のサイズのボルトが挿通するように形成されている。このように、断面積が２２ｍｍ2の導線が接続される出力端子は小型であり、断面積が６０ｍｍ2以上の導線が接続される出力端子は大型である。
【００２７】
図１は、本実施の形態において、変圧器の出力端子に導線の接続端子を接続するときの分解斜視図である。本実施の形態における変圧器は、容量が１０ｋＶＡのものを用いている。変圧器は、ブッシング１を備える。本実施の形態におけるブッシング１には、電圧線が接続される。本実施の形態においては、導線としてＳＨＩＶ（特殊耐熱ビニル絶縁）電線を用いている。
【００２８】
ブッシング１は、出力端子２を含む。出力端子２は、開口部２ａ，２ｂを有する。ブッシング１に接続される標準的な導線の断面積は、表１より、２２ｍｍ2である。したがって、図５（ｂ）の表より、出力端子２の開口部２ａ，２ｂは、約１０ｍｍである。開口部２ａ，２ｂは、第１の径を有し、Ｍ８のボルトが挿通するように形成されている。出力端子２は小型の端子である。
【００２９】
ブッシング１に対して接続される導線３５は、断面積が６０ｍｍ2である。導線３５の接続端子１１は、円筒部１２および板部１３を含む。板部１３には、開口部１３ａ，１３ｂが形成されている。図４（ｂ）の表より、接続端子１１の板部１３に形成された開口部１３ａ，１３ｂは、約１３ｍｍ以上である。開口部１３ａ，１３ｂは、第２の径を有し、Ｍ１２のボルトが挿通できるように形成されている。第２の径は第１の径よりも大きくなるように形成されている。接続端子１１は、大型の端子である。このように、本実施の形態においては、小型のブッシングの出力端子に対して、大型の導線の接続端子が接続固定される。
【００３０】
接続には、ビスとしてのボルト４１、ナット４２およびワッシャ４５が用いられる。本実施の形態においては、接続端子１１の板部１３の表面に、補助座金２１を配置する。
【００３１】
図２に、補助座金２１の斜視図を示す。本実施の形態における補助座金２１は、平面形状が長方形の板状に形成されている。補助座金は、たとえば、縦の長さが６０ｍｍ、横の長さが２０ｍｍ、厚さが２ｍｍの平板状に形成されている。
【００３２】
補助座金２１は、開口部２１ａ，２１ｂを有する。開口部２１ａ，２１ｂのそれぞれの径Ｄ５，Ｄ６は、出力端子２の開口部２ａ，２ｂの径とほぼ同じになるように形成されている。開口部２１ａ，２１ｂの中心同士の距離Ｌ３は、出力端子２の開口部２ａ，２ｂ同士の距離とほぼ同じになるように形成されている。本実施の形態においては、径Ｄ５，Ｄ６が、約８．５ｍｍになるように形成されている。２つの開口部２１ａ，２１ｂの中心同士の距離Ｌ３は、約４０ｍｍである。このように、本実施の形態における補助座金は、開口部が小型の出力端子の開口部に対応するように形成されている。
【００３３】
図１を参照して、組立においては、接続端子１１の板部１３の一方の表面と、出力端子２の表面とを当接させる。板部１３の他方の表面に、補助座金２１を当接させる。それぞれの開口部が連通するように位置調整を行なう。
【００３４】
本実施の形態においては、小型のビスとしてのＭ８のサイズのボルトを用いる。矢印６１に示すように、それぞれの開口部２ａ，１３ａ，２１ａを挿通するように、ボルト４１を通す。ボルト４１をナット４２で固定することにより、出力端子２、板部１３および補助座金２１を一体的に固定する。また、同じように、開口部２ｂ，１３ｂ，２１ｂにボルトを挿通してナットにより固定する。
【００３５】
図３に、本実施の形態におけるブッシングの出力端子に接続端子を固定したときの概略斜視図を示す。出力端子２と、接続端子１１の板部１３とは面接触する。板部１３と補助座金２１とは面接触する。
【００３６】
接続端子１１は、出力端子２と補助座金２１とに挟まれることによって固定されている。補助座金２１の開口部は、出力端子２の開口部に対応するように形成されているため、ボルト４１がぐらついたり、ナット４２が緩んだりすることを抑制することができる。
【００３７】
図６に、本実施の形態における比較例の概略斜視図を示す。比較例においては、大型の接続端子１１を、補助座金を用いることなく小型の出力端子２に固定している。接続端子１１の板部１３には、大型の開口部１３ａ，１３ｂが形成されている。ボルト４１およびナット４２は、小型のものが用いられている。
【００３８】
このため、ナット４２を締込むと、ワッシャ４５の一部が板部１３の主表面に接触せず、ボルト４１が傾いてしまう場合があった。また、使用を継続すると、ナット４２が緩んできてしまう場合があった。このように、確実にボルトおよびナットによって固定を行なうことができない場合があった。また、Ｍ１２のボルトの標準的な締付けトルクは、約２４．５Ｎ・ｍであるのに対して、Ｍ８のボルトの標準的な締付けトルクは約１４．７Ｎ・ｍと小さく、ボルトが傾いた状態では、充分な固定が行なえないという問題があった。
【００３９】
本実施の形態においては、図１を参照して、補助座金２１を用いて、接続固定を行なうことにより、確実に、接続端子１１を出力端子２に固定することができる。
【００４０】
本実施の形態における導線の接続方法は、たとえば、小型の変圧器に対して、太い配線を接続するときに有用である。たとえば、図１２に示すように、容量が１０ｋＶＡの変圧器５６と、容量が２０ｋＶＡの変圧器５７を接続するときに有用である。この接続においても、たとえば、補助座金を用いることにより、変圧器５７の導線５９の先端に大型の接続端子を取付けて、この接続端子を１０ｋＶＡの変圧器５６の小型のブッシング５６ａに確実に接続することができる。
【００４１】
この他、小さな開口部を有する出力端子に、出力端子の開口部より大きな開口部を有する接続端子をビスにより固定するときに有用である。
【００４２】
図７に、本実施の形態における変圧器の他の接続方法の説明図を示す。図７は、建物と電柱との位置関係を説明する概略平面図である。電柱５３ａ，５３ｂが立設されている。電柱５３ａには変圧器５４が配置されている。導線５５ａによって変圧器５４に送電されている。電柱５３ａの近くには、一の建物５１が建てられている。電柱５３ｂの近くには、他の建物５２が建てられている。
【００４３】
変圧器５４によって電圧が調整され、矢印６２に示すように、導線５５ｂ，５５ｃを伝って他の建物５２に電気が供給されている。また、矢印６３に示すように、導線５５ｄを伝って一の建物５１に電気が供給されている。変圧器５４は、一の建物５１および他の建物５２に送電しており、大きな負荷を有する。このため、変圧器５４として、容量が５０ｋＶＡのものが使われている。このときの導線５５ｂ〜５５ｄは、断面積が１００ｍｍ2の線である。導線５５ｂ〜５５ｄ接続端子は、Ｍ１２のボルトを挿通可能な大型の開口部を有するものが用いられている。
【００４４】
ここで、一の建物５１が取り壊されたとする。一の建物５１が取り壊されると、変圧器５４の負荷は、他の建物５２のみと小さくなる。必要な変圧器の容量は減るため、変圧器５４が、容量が１０ｋＶＡのものに取替えられるとする。このような場合においても、太い導線５５ｂ，５５ｃを取替えずに、導線５５ｂを小型の変圧器に接続することができる。このように、補助座金を用いることにより、変圧器の取替工事において、既設の大容量の変圧器に接続されていた太い導線を、新設した小容量の変圧器に接続することが可能になる。
【００４５】
本実施の形態においては、資材流用によって、新規に用いる資材の量を少なくすることができる。または、接続方法が簡易であるために、作業の短時間化を図り作業効率を向上させることができる。
【００４６】
本実施の形態においては、変圧器のブッシングのうち、電圧線が接続されるブッシングを例に取り挙げて説明したが、この形態に限られず、中性線についても本発明を適用することができる。
【００４７】
また、本実施の形態における補助座金は、平面形状が長方形に形成され、２個の開口部が形成されているが、この形態に限られず、平面形状および開口部の数は任意のものを用いることができる。たとえば、１個の開口部を有する補助座金を２枚用いても構わない。
【００４８】
また、本実施の形態においては、電柱に配置される変圧器を例に採り挙げて説明を行なったが、この形態に限られず、任意の変圧器に本発明を適用することができる。
【００４９】
（実施の形態２）
図８から図１１を参照して、本発明に基づく実施の形態２における変圧器と導線との接続方法について説明する。本実施の形態においては、大型の変圧器のブッシングに、細い導線を接続する接続方法について説明する。
【００５０】
図８に、本実施の形態における導線と接続端子との部分の分解概略斜視図を示す。接続端子１１は、円筒部１２および板部１３を含む。本実施の形態における接続端子１１は、断面積が６０ｍｍ2の導線を接続する大型の接続端子である。
【００５１】
板部１３は、開口部１３ａ，１３ｂを有する。開口部１３ａの径は約１３ｍｍであり、開口部１３ｂの径は約１６．５ｍｍである（図４参照）。円筒部１２は、挿入穴１２ａを有する。挿入穴１２ａは、円柱状に形成されている。挿入穴１２ａは、断面積が、約６０ｍｍ2の導線が挿入可能に形成されている。本実施の形態においては、挿入穴１２ａの径Ｄ９は、約１０．７ｍｍである。
【００５２】
本実施の形態においては、接続端子１１に、導線３５を接続する。導線３５は、被覆３６および芯線３７を有する。芯線３７は、銅で形成されている。芯線３７は、断面積が２２ｍｍ2になるように形成されている。本実施の形態においては、スリーブ２５を用いて、導線３５を接続端子１１に接続する。
【００５３】
図９に、本実施の形態におけるスリーブの概略斜視図を示す。本実施の形態におけるスリーブ２５は、円筒状に形成されている。スリーブ２５の外側の径Ｄ８は、接続端子１１の挿入穴１２ａの径Ｄ９よりも小さくなるように形成されている。また、スリーブ２５の内穴２５ａの径Ｄ７は、芯線３７の径Ｄ１０よりも大きくなるように形成されている。本実施の形態におけるスリーブ２５の内側の径Ｄ７は、約６．４ｍｍであり、外側の径Ｄ８は、約１０．３ｍｍである。
【００５４】
スリーブ２５としては、導電性が高いものが好ましい。本実施の形態においては、銅の表面にすずめっきが配置されているスリーブを用いている。主材が銅で形成されたスリーブを用いることにより、確実に電気を導通させることができる。
【００５５】
図８を参照して、接続端子１１の円筒部１２の挿入穴１２ａに、スリーブ２５を矢印６４に示すように挿入する。さらに、矢印６５に示すように、スリーブ２５の内穴２５ａの内部に導線３５の芯線３７を挿入する。
【００５６】
図１０に、接続端子に導線を固定したときの概略斜視図を示す。円筒部１２に、スリーブ２５および芯線３７を挿入した後に、矢印６６に示すように、円筒部１２を一の方向に圧縮して変形させる。スリーブ２５および導線３５が接続端子１１に接続固定される。このように、スリーブを用いることにより、大型の接続端子に対して、対応する標準の太さの導線よりも細い導線を確実に接続することができる。
【００５７】
図１０を参照して、スリーブ２５を用いない状態で、導線３５を接続端子１１に接続しようとすると、円筒部１２の挿入穴１２ａに対して芯線３７が細いため、円筒部１２を圧縮しても、芯線３７が十分に圧縮されず、接続が不安定になったり、後に芯線３７が、挿入穴１２ａから抜けてしまったりする場合があるという問題があった。
【００５８】
しかしながら、本実施の形態のように、円筒部に対応する外径および導線の外径に対応する内径を有する筒形状のスリーブを用いることにより、導線を十分に圧縮することができ、細い導線を大型の接続端子に確実に固定することができる。
【００５９】
図１１に、本実施の形態における変圧器の接続方法の説明図を示す。図１１は、建屋および電柱の位置関係を説明する概略平面図である。
【００６０】
電柱５３ａと電柱５３ｂとが離れて配置されている。電柱５３ａには変圧器５４が配置されている。電柱５３ａの近くには、一の建物５１が建てられている。変圧器５４は、導線５５ｄを介して、一の建物５１に送電している。変圧器５４は、一の建物５１に送電するため、たとえば、容量が５０ｋＶＡの大型の変圧器である。
【００６１】
変圧器５４は、電柱５３ａに配置された電灯および電柱５３ｂに配置された電灯に電気を供給する。このときには、矢印６７に示すように、導線５５ｅを用いて電柱５３ａに配置された電灯に電源を供給する。また、矢印６８に示すように、導線５５ｆを用いて電柱５３ｂに配置された電灯に電源を供給する。
【００６２】
電柱５３ａ，５３ｂに配置された電灯に電気を供給する場合においては、その負荷が小さいため、導線５５ｅ，５５ｆは細いものでよい。たとえば、導線５５ｅ，５５ｆは、断面積が２２ｍｍ2のものでよい。このときに、断面積が２２ｍｍ2の導線に対応する接続端子を用いると、この接続端子にはＭ８のボルトしか挿通せず、実施の形態１と同様に、接続端子と変圧器の出力端子とを確実に固定することができないという問題があった（図６参照）。
【００６３】
しかしながら、本実施の形態における接続方法を用いることにより、導線５５ｅ，５５ｆの接続端子を変圧器５４に確実に接続することができる。本実施の形態においては、Ｍ１２のボルトを用いて、変圧器の出力端子と導線の接続端子とを強固に接続固定することができる。
【００６４】
このように、本実施の形態においては、断面積が小さな導線を大型の変圧器の出力端子に確実に接続することができる。この結果、低圧線や引込線などの小さな負荷容量に見合った２次側配線の選定の自由度が向上する。また、用いる導線の太さを細くすることができ、作業の短時間化を図り、作業効率を向上することができる。さらに、細い線を使用することにより、価格の低減にも寄与することができる。
【００６５】
本実施の形態におけるスリーブは、円筒形に形成されているが、この形態に限られず、任意の形状を採用することができる。たとえば、スリーブの断面形状が八角形に形成されていても構わない。
【００６６】
その他の方法、作用および効果については、実施の形態１と同様であるので、ここでは説明を繰り返さない。
【００６７】
上述のそれぞれの図において、同一または相当する部分には、同一の符号を付している。
【００６８】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００６９】
【図１】実施の形態１における接続端子および出力端子の部分の拡大概略斜視図である。
【図２】実施の形態１における補助座金の斜視図である。
【図３】実施の形態１における出力端子に接続端子を接続したときの概略斜視図である。
【図４】（ａ）は、接続端子の概略平面図であり、（ｂ）は、それぞれの導線の断面積に対応した接続端子の寸法を説明する表である。
【図５】（ａ）は、変圧器のブッシングの概略平面図であり、（ｂ）は、導線の断面積に対応した出力端子の寸法を説明する表である。
【図６】実施の形態１における比較例の出力端子と接続端子とを接続したときの概略斜視図である。
【図７】実施の形態１における変圧器の他の接続方法を説明する概略平面図である。
【図８】実施の形態２における接続端子および導線の接続部分の分解斜視図である。
【図９】実施の形態２におけるスリーブの概略斜視図である。
【図１０】実施の形態２における接続端子に導線を接続したときの概略斜視図である。
【図１１】実施の形態２における変圧器の接続方法を説明する概略平面図である。
【図１２】大型の変圧器と小型の変圧器とを接続する例を説明する斜視図である。
【図１３】Ｃ型コネクタの部分の概略斜視図である。
【符号の説明】
【００７０】
１  ブッシング、２  出力端子、２ａ，２ｂ  開口部、３  碍子部、１１  接続端子、１２  円筒部、１２ａ  挿入穴、１３  板部、１３ａ，１３ｂ  開口部、２１  補助座金、２１ａ，２１ｂ  開口部、２５  スリーブ、２５ａ  内穴、３５  導線、３６  被膜、３７  芯線、４１  ボルト、４２  ナット、４５  ワッシャ、５１  一の建物、５２  他の建物、５３ａ，５３ｂ  電柱、５４  変圧器、５５ａ〜５５ｆ  導線、５６，５７  変圧器、５６ａ〜５６ｃ，５７ａ〜５７ｃ  ブッシング、５８  Ｃ型コネクタ、５９，６０  導線、６１〜６９  矢印、Ｌ１〜Ｌ３  距離、Ｄ１〜Ｄ９  径。
【図１】
2007250190.tif 000004
【図２】
2007250190.tif 000005
【図３】
2007250190.tif 000006
【図４】
2007250190.tif 000007
【図５】
2007250190.tif 000008
【図６】
2007250190.tif 000009
【図７】
2007250190.tif 000010
【図８】
2007250190.tif 000011
【図９】
2007250190.tif 000012
【図１０】
2007250190.tif 000013
【図１１】
2007250190.tif 000014
【図１２】
2007250190.tif 000015
【図１３】
2007250190.tif 000016